(57)【要約】【課題】制御回路基板等を箱形空間内に収納した場合、その空間内の制御回路基板等を効率よく放熱させ、高温による制御回路基板等の機能停止を防止できる遊技機の冷却構造を提供する。【解決手段】遊技機背面側の箱形空間３２内に制御回路基板３５〜３７が収納される遊技機の冷却構造において、遊技機正面側に吸気口１１ｂ、箱形空間３２の背面板３ａに排気口４１ａを各々形成すると共に、吸気口１１ｂび箱形空間３２間を通気可能に形成する。外気を吸引する吸気口１１ｂから箱形空間３２を通って外気中に空気を排出する排気口４１ａに至る強制冷却空気流７２を生じさせるファン４２ａを設け、箱形空間３２内に外気を強制循環させる。【選択図】図９
2007105102.tif 000002
【特許請求の範囲】
【請求項１】
遊技機背面側に形成され、正面、背面及び上下、左右各面が板状体で仕切られた箱形空間内に発熱電気装置ユニットが収納される遊技機の冷却構造において、
遊技機正面側の下部には吸気口が、前記箱形空間の背面を仕切る板状体には排気口が、各々形成されると共に、前記吸気口及び箱形空間相互間が通気可能に形成され、
前記吸気口から吸引した外気が、前記箱形空間内を通って前記排気口から遊技機外部に排出される、強制冷却空気流を生じさせるファンを備えることを特徴とする遊技機の冷却構造。
【請求項２】
前記発熱電気装置ユニットは、遊技に係る画像を表示する、外形状がほぼ平板状に形成された画像表示器を含み、
前記箱形空間の正面を仕切る板状体には前記画像表示器が用いられることを特徴とする請求項１に記載の遊技機の冷却構造。
【請求項３】
遊技機背面側に形成され、正面、背面及び上下、左右各面が板状体で仕切られた箱形空間内に発熱電気装置ユニットが収納される遊技機の冷却構造において、
前記発熱電気装置ユニットは、遊技機を制御する制御回路基板、遊技に係る画像を表示する、外形状がほぼ平板状に形成された画像表示器、及び電気装置に電源を供給する電源回路ユニットを含み、
前記箱形空間の正面を仕切る板状体には前記画像表示器が用いられ、該下面を仕切る板状体には遊技を演出する音声を出力するスピーカの収納室の天井板が用いられ、
遊技機正面側の下部には吸気口が、前記箱形空間の背面を仕切る板状体には排気口が、各々形成されると共に、前記吸気口から前記収納室の前面板前面側を経て前記箱形空間へ通気可能に形成され、
前記吸気口から吸引した外気が、前記箱形空間内を通って前記排気口から遊技機外部に排出される、強制冷却空気流を生じさせるファンを備え、
これら吸気口、排気口及びファンを複数組備えて前記強制冷却空気流を複数方向に生じさせ、そのうちの一方向の強制冷却空気流は前記電源回路ユニット部分を直接通るように前記吸気口、排気口及びファンの一組を配置したことを特徴とする遊技機の冷却構造。
【発明の詳細な説明】
【技術分野】
【０００１】
本発明は、遊技機の背面側に形成される箱形空間内に制御回路基板等が収納される遊技機の冷却構造に関するものである。
【背景技術】
【０００２】
近年、パチンコ機等の遊技機は、マイクロコンピュータ等を制御回路に用いた電子回路化が進んでいる。この制御回路が組み込まれた基板（制御回路基板）は遊技機の背面側に取り付けられ、その周囲は保護カバーで覆われている。
この保護カバーは、制御回路基板を物理的に保護すると共に、制御回路基板に外部から手が加えられることを防止できる利点があるが、この制御回路基板から、詳しくはこの基板に実装された電気／電子部品（以下、電気部品と略記する。）から発生する熱をこもらせるようにも作用する。
【０００３】
このため、保護カバーに多数の通気孔を設けて対処していたが、これでは保護カバー内側に対面する制御回路基板の電気部品実装面側の通気、放熱は可能であっても、この電気部品実装面側とは反対側の面、つまり半田付け面側の通気、放熱はなされない。
【０００４】
そこで従来、制御回路基板の電気部品実装面側の空間のみならず、これとは反対側の半田付け面側の空間も、通気孔によって外部と通気されるようにし、両方の空間の温度上昇を抑制するようにして長期間の使用によっても熱による制御回路基板への悪影響を排除することができる遊技機が提案された（例えば、特許文献１参照）。
【特許文献１】特許第２５４１１５６号公報
【発明の開示】
【発明が解決しようとする課題】
【０００５】
しかしながら上記従来技術では、制御回路基板の保護カバー内の空間を通気するだけであるため、つぎのような問題点があった。
すなわち、制御回路基板をその保護カバーごと、封入式枠体等のような密閉性の高い空間（箱形空間）内に収納した場合には、その箱形空間内は遊技機外部との通気が殆どなく、このため、保護カバーに多数の通気孔を設けても、結局は箱形空間内で熱交換されているだけに過ぎない。
したがって、遊技機電源オンからの時間経過に伴い、箱形空間内に熱がこもってくると、制御回路基板の保護カバー内の温度は高温になる。そして、箱形空間内の温度が飽和温度まで上昇すると保護カバーの通気機能は効果がなくなり、遂には保護カバー内の電気部品の電気的な接続を不安定にする等によって、基板上の制御回路の機能を停止させる虞もあった。
【０００６】
請求項１の発明は、上記のような実情に鑑みなされたもので、制御回路基板等の発熱電気装置ユニットを密閉性の高い空間（箱形空間）内に収納した場合でも、箱形空間内の発熱電気装置ユニットを効率よく放熱させ、高温による発熱電気装置ユニット中の各種回路の機能停止を防止できる遊技機の冷却構造を提供することを目的とする。
また請求項２の発明は、例えば映像式遊技機におけるような大画面の画像表示器を用いる場合に、上記請求項１の発明の効果を有する上に、箱形空間の構成部材のコストを低減できる遊技機の冷却構造を提供することを目的とする。
更に請求項３の発明は、同じく映像式遊技機におけるような大画面の画像表示器を用い、かつ、箱形空間内に制御回路基板、画像表示器の他、電源回路ユニットを収納し、また、画像表示器背面側の下方にスピーカ収納室を形成した場合に、上記請求項１の効果を有する上に、箱形空間の構成部材コストの低減を請求項２の発明の場合以上に図ることができ、更に電源回路ユニットを効率よく放熱可能な遊技機の冷却構造を提供することを目的とする。
【課題を解決するための手段】
【０００７】
上記目的を達成するために、特許請求の範囲の請求項１に記載の発明は、遊技機背面側に形成され、正面、背面及び上下、左右各面が板状体で仕切られた箱形空間内に発熱電気装置ユニットが収納される遊技機の冷却構造において、遊技機正面側の下部には吸気口が、前記箱形空間の背面を仕切る板状体には排気口が、各々形成されると共に、前記吸気口及び箱形空間相互間が通気可能に形成され、前記吸気口から吸引した外気が、前記箱形空間内を通って前記排気口から遊技機外部に排出される、強制冷却空気流を生じさせるファンを備えることを特徴とする。
また、特許請求の範囲の請求項２に記載の発明は、上記請求項１に記載の発明において、前記発熱電気装置ユニットは、遊技に係る画像を表示する、外形状がほぼ平板状に形成された画像表示器を含み、前記箱形空間の正面を仕切る板状体には前記画像表示器が用いられることを特徴とする。
更に、特許請求の範囲の請求項３に記載の発明は、遊技機背面側に形成され、正面、背面及び上下、左右各面が板状体で仕切られた箱形空間内に発熱電気装置ユニットが収納される遊技機の冷却構造において、前記発熱電気装置ユニットは、遊技機を制御する制御回路基板、遊技に係る画像を表示する、外形状がほぼ平板状に形成された画像表示器、及び電気装置に電源を供給する電源回路ユニットを含み、前記箱形空間の正面を仕切る板状体には前記画像表示器が用いられ、該下面を仕切る板状体には遊技を演出する音声を出力するスピーカの収納室の天井板が用いられ、遊技機正面側の下部には吸気口が、前記箱形空間の背面を仕切る板状体には排気口が、各々形成されると共に、前記吸気口から前記収納室の前面板前面側を経て前記箱形空間へ通気可能に形成され、前記吸気口から吸引した外気が、前記箱形空間内を通って前記排気口から遊技機外部に排出される、強制冷却空気流を生じさせるファンを備え、これら吸気口、排気口及びファンを複数組備えて前記強制冷却空気流を複数方向に生じさせ、そのうちの一方向の強制冷却空気流は前記電源回路ユニット部分を直接通るように前記吸気口、排気口及びファンの一組を配置したことを特徴とする。
【発明の効果】
【０００８】
特許請求の範囲の請求項１に記載の発明では、箱形空間（密閉性の高い空間）内に制御回路基板等の発熱電気装置ユニットを収納する場合に、遊技機正面側の下部に吸気口を、箱形空間の背面を仕切る板状体に排気口を、各々形成すると共に、吸気口及び箱形空間相互間を通気可能に形成した。そして、外気を吸引する吸気口から箱形空間内を通って外気中に空気を排出する排気口に至る強制冷却空気流を生じさせるファンを設けた。
これによれば、制御回路基板等の発熱電気装置ユニットを密閉性の高い箱形空間内に収納した場合でも、その発熱電気装置ユニットからの発生熱を箱形空間内にこもらせることはなく、効率よく放熱させることができ、箱形空間内の温度上昇による発熱電気装置ユニット中の各種回路の機能停止を防止できる。
特許請求の範囲の請求項２に記載の発明によれば、請求項１に記載の発明において、発熱電気装置ユニットが、外形状がほぼ平板状に形成された画像表示器を含む場合に、この画像表示器を箱形空間の正面を仕切る板状体に兼用させたので、上記請求項１の発明の効果を有する上に、箱形空間の構成部材のコストを低減できる。
特許請求の範囲の請求項３に記載の発明では、箱形空間内に、外形状がほぼ平板状に形成された画像表示器及び電源回路ユニットを収納する場合であって、箱形空間の下方にスピーカ収納室を配置するときに、画像表示器を箱形空間の正面を仕切る板状体に兼用させると共に、スピーカ収納室の天井板を箱形空間の下面を仕切る板状体に兼用させた。また、遊技機正面側の下部に吸気口を、箱形空間の背面を仕切る板状体に排気口を、各々形成すると共に、吸気口からスピーカ収納室の前面板前面側を経て箱形空間へ通気可能に形成した。そして、外気を吸引する吸気口から箱形空間内を通って外気中に空気を排出する排気口に至る強制冷却空気流を生じさせるファンを設けた。この場合、吸気口、排気口及びファンを複数組設け、強制冷却空気流を複数方向に生じさせ、このうちの一方向の強制冷却空気流は電源回路ユニット部分を直接通るように吸気口、排気口及びファンの一組を配置した。
これによれば、上記請求項１と同様の効果を有する上に、箱形空間の構成部材コストの低減を請求項２の発明の場合以上に図ることができ、更に電源回路ユニットを効率よく放熱することができる。
【発明を実施するための最良の形態】
【０００９】
以下、本発明の実施の形態を図面に基づき説明する。なお、各図間において、同一符号は同一又は相当部分を示す。
図１は、本発明に係る冷却構造が適用された遊技機、ここでは映像式パチンコ機の一実施形態を正面側から示す斜視図である。図２は、同パチンコ機の正面図〔（ｂ）図〕、左側面図〔（ａ）図〕、右側面図〔（ｃ）図〕である。
【００１０】
始めに映像式パチンコ機について説明する。
映像式パチンコ機は、旧来からの機械式のパチンコ機（実パチンコ機）と同様の発射操作部を備え、入賞口、アウト口、遊技釘等の盤面構成部材が実パチンコ機の遊技盤面形態を模して配置された遊技盤面、及びこの遊技盤面上の遊技領域に打ち込まれ流下する遊技球等を後述するような画像表示器に表示し、仮想的に遊技を行うパチンコ機である。
【００１１】
このような映像式パチンコ機において、遊技者は、遊技球貸出し可能金額を記憶させた持運び可能の記録媒体、ここではカード状記録媒体（カード）をカードリーダ・ライタに読み込ませ、スコアに変換して遊技を行う。遊技終了時には、獲得したスコアを上記カードリーダ・ライタによりカードに記憶させ、そのスコアを媒介に景品と交換するものである。後述するコントロールパネルセットは、このような映像式パチンコ機における遊技の開始及び終了時に、遊技者が上記カードを用いて操作する装置部である。
【００１２】
図１、図２において、額縁状に形成された中枠１と、この中枠１の背面側に配置された外枠２と、この外枠２の背面全面を覆う背面板３（図３参照）とで形成される筐体４の前面には、中枠１と同様に額縁状に形成された前面枠５が、外枠２の左側上下に設けられたヒンジ６によってその右側を開閉自在に取り付けられる。この前面枠５は、常時は施錠装置（図示せず）によって閉じた状態で固定される。中枠１は、前面枠５の左側に枢着され、その右側が、前面枠５が開いた状態において開閉自在である。
【００１３】
上記前面枠５には、ランプや中高音スピーカ等が組み込まれ、またこの前面枠５の裏面には、後述する画像表示器を画面全域に亘って保護する前面ガラス（図示せず）が取り付け固定されている。
また前面枠５の下方左右側には、吸気口１１（１１ａ，１１ｂ）が開けられている。更に前面枠５の下方には、遊技の開始及び終了時等に、遊技者が操作するコントロールパネルセット（以下、パネルセットと略記する。）１２が取付け固定されている。なお、このパネルセット１２を、メンテナンスの便宜のために、例えばその左側を軸支して右側を開閉自在に取り付けてもよい。
【００１４】
パネルセット１２上面には、遊技に使用する遊技媒体、ここでは遊技球の使用可能量(遊技球貸出し可能金額)を表示するカード残高表示部１３、獲得スコア表示部１４、遊技者が操作する貸出し球ボタン１５、カード返却ボタン１６及び獲得スコア精算ボタン１７が設けられている。また、パネルセット１２の中央下部にはカード挿入口１８が設けられている。
パネルセット１２の左側下方にはドリンクホルダ２１が取り付けられ、パネルセット１２の右側には、遊技球（画像）を、その発射強度を調整しながら発射するためのハンドルセット２２が取り付けられている。
【００１５】
図３は同上パチンコ機の正面側から示す分解斜視図である。
この図３から分かるように、映像式パチンコ機の画像表示器、例えば液晶画像表示器、プラズマディスプレイ、ＥＬディスプレイ等、ここでは液晶画像表示器３１は、外形状がほぼ平板状に形成されている。この液晶画像表示器３１は、中枠１の裏面に、その画面を正面に向けて中枠１の開口窓１ａに合わせた状態で固定装置（図示せず）によって固定されている。前面枠５の開口窓５ａは、中枠１の開口窓１ａとほぼ同位置、同寸法に形成され、前面枠５の開口窓５ａからは液晶画像表示器３１の画面のほぼ全域を見通せる。
中枠１背面側の筐体４内方には、上方側に後述発熱電気装置ユニットが収納される箱形空間３２が、下方側に密閉形低音スピーカ収納室（エンクロージャ）３３が、形成されている。
【００１６】
ここで、箱形空間３２は、正面側が液晶画像表示器３１により、背面側が液晶画像表示器３１に対向配置された背面板３ａ（本実施形態では筐体４の背面板３が、具体的には背面板３の中央部から上端部に亘る部分が兼用されている）により、各々仕切られて形成されている。また箱形空間３２の上面側及び左右側面側は外枠２の上面板部及び左右の各側面板部により、下面側は密閉形低音スピーカ収納室３３の天井板（仕切板）３３ａにより、各々仕切られ、箱形空間３２が形成されている。
なお、筐体４の背面板３は密閉形低音スピーカ収納室３３の背面板３ｂにも兼用されており、外枠２の下面板部及び左右の各側面板部は同スピーカ収納室３３の床板及び左右側板にも兼用されている。
【００１７】
上記液晶画像表示器３１は、箱形空間３２の正面側の仕切板に兼用されながら、同箱形空間３２内に収納（主に、放熱側である液晶画像表示器３１の裏面部分が箱形空間３２内に収納）されるという収納形態になっている。このように、液晶画像表示器３１が箱形空間３２の仕切板、ここでは正面側の仕切板に兼用されていることによれば、箱形空間３２の構成部材のコストを低減できる。
本実施形態では、密閉形低音スピーカ収納室３３の天井板３３ａも箱形空間３２の仕切板（箱形空間３２の下面側の仕切板）に兼用されており、これによれば、箱形空間３２の構成部材のコストを更に低減できる。
なお、図中３３ｂは密閉形低音スピーカ収納室３３の前面板、３４は同前面板３３ｂに取り付けられて収納室３３内に収容される低音スピーカを示す。
【００１８】
箱形空間３２内に収納される発熱電気装置ユニットとしては、本実施形態では主制御回路基板３５、画像表示制御回路や音声出力制御回路等を搭載した副制御回路基板３６、払出制御回路基板３７、上記液晶画像表示器３１、これら制御回路基板３５〜３７及び液晶画像表示器３１等に電源を供給する電源回路ユニット３８等が該当する。
制御回路基板３５〜３７及び電源回路ユニット３８は、外部からの機械的、電気的障害から保護されるようにケースを備えて（ケース内に収納されて）おり、各ケースの外周には、各回路構成部品が発する熱をケース外部に放出するための放熱用通気孔群（図示省略）が穿設されている。液晶画像表示器３１の表示器本体も同様である。
【００１９】
図４は、上記中枠１、前面枠５及び画像表示器３１を取り除いた状態（箱形空間３２への発熱電気装置ユニットの収納状態）を正面側から示す図である。
この図４に示すように、発熱電気装置ユニット中、制御回路基板３５〜３７は箱形空間３２の背面板３ａ（筐体４の背面板３の中央部から上端部に亘る部分）の内面に取り付けられ、電源回路ユニット３８は密閉形低音スピーカ収納室３３の天井板３３ａの上面左側に取り付けられている。
【００２０】
図５は筐体４の背面図（パチンコ機背面図）であり、この図５から分かるように、箱形空間３２の背面板３ａの上下各側には、排気口４１（４１ａ，４１ｂ）が開けられている。排気口４１ａ，４１ｂは、箱形空間３２をパチンコ機外部に連通させる開口であり、本実施形態では、図３〜図５から分かるように、下側の排気口４１ｂは電源回路ユニット３８部分と対向する箇所に、上側の排気口４１ａは下側の排気口４１ｂと対角をなす箇所に開けられている。
各排気口４１ａ，４１ｂには、図４に示すようにファン４２（４２ａ，４２ｂ）が各々フィルタ４３（４３ａ，４３ｂ）を介して取り付けられている。各ファン４２、フィルタ４３は、背面板３ａの内側に設けられており、筐体４の背面を突出させることはない。ファン４２は、吸気口１１側から排気口４１側に向かって強制冷却空気流を発生させる強制空冷用のファンである。
【００２１】
電源回路ユニット３８部分は、単位体積当たりの発熱量が大きく、したがってこの部分に下側の排気口４１ｂを対向させ、この電源回路ユニット３８部分からの発生熱が箱形空間３２内の各所に放散される前にファン４２ｂによって効率よくパチンコ機外部に排出するようになされている。
上側のファン４２ａは、箱形空間３２内における発生熱、主として制御回路基板３５〜３７及び液晶画像表示器３１からの発生熱を箱形空間３２の天井面近傍で、特に下側のファン４２ｂと対角をなす天井面近傍で、効率よくパチンコ機外部に排出するように設けられている。
図６は、図４に示す箱形空間３２への発熱電気装置ユニットの収納状態を正面側から示す斜視図で、箱形空間３２への各制御回路基板３５〜３７及び電源回路ユニット３８の収納状態をより分かりやすく示している。
なお、各図において、各制御回路基板３５〜３７、電源回路ユニット３８やスピーカ３４等の電気装置ユニットから延出する配線は図示省略されている。
【００２２】
図３に示すように中枠１には、前面枠５に開けられた吸気口１１（１１ａ，１１ｂ）の対向位置に通気口１９（１９ａ，１９ｂ）が形成され、吸気口１１及び箱形空間３２相互間が通気可能に形成されている。本実施形態では、吸気口１１から通気口１９を通り、密閉形スピーカ収納室前面板３３ｂの前面側（中枠１及び密閉形スピーカ収納室前面板３３ｂ相互間に形成された隙間）を経て箱形空間３２に至る通気路が形成されている。
【００２３】
なお、主制御回路基板３５に備わる主制御回路は、パチンコ機全般の制御を司る、特に後述する画像表示器に表示される遊技盤面画像における遊技状態を制御する回路である。
また、副制御回路基板３６に備わる画像表示制御回路は上記主制御回路の制御に基づき上記遊技盤面画像における表示制御を行う回路であり、同じく副制御回路基板３６に備わる音声制御回路は上記主制御回路の制御に基づき中高音スピーカ（図示せず）や低音スピーカ３４を用いた音声による演出の制御を行う回路である。
払出制御回路基板３７に備わる払出制御回路は、上記入賞口への入賞（入賞口位置における遊技球画像の消滅）に伴う賞球の払出制御や遊技終了時における精算処理等を行う回路である。
電源回路ユニット３８に備わる電源回路は、上記各制御回路基板３５〜３７、液晶画像表示器３１やファン４２等、パチンコ機各部に電源を供給する回路である。
【００２４】
図７は図１に示すパチンコ機の正面拡大図、図８は図７中のＡ−Ａ線に沿って切断したときの右側断面図であって、この図８に本実施形態の冷却構造の概略（その１）を示す。なお、図８には中枠１が図示省略されている。図８中の８１は、吸気口１１及び箱形空間３２相互間を通気可能とする上記隙間を指す。
図７、図８から分かるように、前面枠５の下方左側には吸気口１１ａが開けられ、また、制御回路基板３６、電源回路ユニット３８及び液晶画像表示器３１等の発熱電気装置ユニットが収納された箱形空間３２の背面板３ａ下方左側には下側の排気口４１ｂが開けられている。
そして、これら吸気口１１ａ及び排気口４１ｂ相互間には、吸気口１１ａから排気口４１ｂに向かって、つまり、吸気口１１ａ→通気口１９ａ→隙間８１→箱形空間３２内の電源回路ユニット３８部分→下側のファン４２ｂ→下側の排気口４１ｂという経路で、第１強制冷却空気流７１が生じるように構成されている。
したがって第１強制冷却空気流７１は、発熱電気装置ユニットのうち、電源回路ユニット３８部分に集中して当たり、同電源回路ユニット３８部分ではその収納ケースの内外部分に亘って通過（収納ケース内は放熱用通気孔群を通過）することになる。
【００２５】
図９は図７中のＢ−Ｂ線に沿って切断したときの右側断面図であって、この図９に本実施形態の冷却構造の概略（その２）を示す。なお、図９中に中枠１が図示省略されていることは図８と同様である。図９中の８１は、図８と同様の隙間を指す。
図７、図９から分かるように、前面枠５の下方右側には吸気口１１ｂが開けられ、また、制御回路基板３５〜３７、電源回路ユニット３８及び液晶画像表示器３１等の発熱電気装置ユニットが収納された箱形空間３２の背面板３ａ上方右側には上側の排気口４１ａが開けられている。
そして、これら吸気口１１ｂ及び排気口４１ａ相互間には、吸気口１１ｂから排気口４１ａに向かって、つまり、吸気口１１ｂ→通気口１９ｂ→隙間８１→箱形空間３２内→上側のファン４２ａ→上側の排気口４１ａという経路で、第２強制冷却空気流７２が生じるように構成されている。第２強制冷却空気流７２は、箱形空間３２内において、最下部から最上部に至る範囲で生じる。
【００２６】
以上の構成において、パチンコ機が電源投入され、図８、図９に示す箱形空間３２内の制御回路基板３５〜３７、電源回路ユニット３８及び液晶画像表示器３１等が発熱し始めると、発生熱はそれらの収納ケースの放熱用通気孔群を通過して箱形空間３２内の空気と熱交換する。したがって、箱形空間３２内の温度は上昇する。
【００２７】
従来の封入式枠体等のような密閉性の高い空間に発熱電気装置ユニットが収納されている場合には、その空間内はパチンコ機外部との通気が殆どなく、制御回路基板等の発熱電気装置ユニット内の温度は高温になる。
本発明においては、電源投入されるとファン４２ａ，４２ｂが回転し、図８、図９中に矢印で示す第１冷却気流７１、第２冷却気流７２を生じさせる。
【００２８】
下側のファン４２ｂによる第１強制冷却空気流７１は、図８に示すように、電源回路ユニット３８部分に集中して当たり、同電源回路ユニット３８部分ではその収納ケースの内外部分に亘って通過する。電源回路ユニット３８部分は、単位体積当たりの発熱量が大きく、したがってこの部分に集中して第１強制冷却空気流７１が通過することによれば、電源回路ユニット３８を効率よく放熱させることができる。
【００２９】
上側のファン４２ａによる第２強制冷却空気流７２は、図９に示すように、箱形空間３２内において最下部から最上部に至る範囲で生じる。すなわち、箱形空間３２内で昇温され軽くなって上方に移動する空気と同方向に生じる。したがって、第２強制冷却空気流７２は、箱形空間３２内における発生熱、主として制御回路基板３５〜３７及び液晶画像表示器３１からの発生熱を箱形空間３２の上方、特に下側のファン４２ｂと対角をなす天井面近傍で効率よくパチンコ機外部に排出し、これら制御回路基板３５〜３７及び液晶画像表示器３１を効率よく放熱させることができる。
【００３０】
第１、第２いずれの強制冷却空気流７１，７２も、吸気口１１（１１ａ，１１ｂ）から吸引された外気が箱形空間３２を通って排気口４１（４１ａ，４１ｂ）から外気中に（パチンコ機外部に）排出する循環空気流である。したがって、箱形空間３２内の制御回路基板３５〜３７、電源回路ユニット３８及び液晶画像表示器３１等（発熱電気装置ユニット）からの発生熱を箱形空間３２内にこもらせることはなく、箱形空間３２内の温度上昇による発熱電気装置ユニット中の各種回路の機能停止を防止できる。
なお、図８、図９中に矢印で示す第１、第２強制冷却空気流７１，７２は典型例を例示したものであり、実際には、各ファン４２ａ，４２ｂの吸引力の設定や箱形空間３２内における各発熱電気装置ユニットの形状、寸法あるいはレイアウト等によって、図示例よりも複雑な経路をとることになる。
【００３１】
上述実施形態では、ファン４２をパチンコ機電源の投入と同時に回転するように構成した場合について述べたが、サーモスタット等の温度検出装置を設け、予め設定した温度以上においてのみファン４２が回転するように構成してもよい。これによれば省電力が図れる。
【００３２】
また上述実施形態では、前面枠５に開けた吸気口１１から吸気を行っているが、ファン４２の回転によって、例えば中枠１、外枠２や前面枠５等の組付けのために設けた遊び空間等の隙間や、密閉形スピーカ収納室３３周りに設けた穴等からパチンコ機正面側（遊技者側）の外気を吸引できれば、上記のような専用の吸気口１１を設けなくてもよい。
いずれにしても、パチンコ機背面側はパチンコ島設備に面しており、他のパチンコ機が同様に発生した熱を放熱し合っている狭い空間である。しかも、島設備独自の通信回路や実パチンコ機のための遊技球還元機等もあり、これらも発熱源となっているので、このような空間での熱交換はあまり効率がよいとはいえない。一方、パチンコ機正面側、つまり遊技者側は、遊技者サービスのために空調設備が整っているのが通常である。そこで、上記箱形空間３２内の冷却のための吸気は、上記のように空調設備の整ったパチンコ機正面側から行われる。
【００３３】
更に上述実施形態では、本発明を映像式パチンコ機の冷却構造に適用した場合について述べたが、実パチンコ機の冷却構造に適用してもよく、更には、パチンコ機以外の遊技機の冷却構造に適用してもよい。映像式パチンコ機の冷却構造に適用すれば、上述したように、大画面の画像表示器（液晶画像表示器３１等）を箱形空間３２の正面を仕切る板状体に兼用でき、箱形空間３２の構成部材のコストを低減できる。実パチンコ機等において、画像表示器を箱形空間３２の正面を仕切る板状体に兼用できない場合には、同板状体として専用の正面板が用いられる。
【図面の簡単な説明】
【００３４】
【図１】本発明に係る冷却構造が適用された映像式パチンコ機の一実施形態を正面側から示す斜視図である。
【図２】図１に示すパチンコ機の正面図及び左右側面図である。
【図３】同上パチンコ機の正面側から示す分解斜視図である。
【図４】同上パチンコ機の中枠、前面枠及び画像表示器を取り除いた状態を正面側から示す図である。
【図５】同上パチンコ機の背面図である。
【図６】図４に示す状態における斜視図である。
【図７】図１に示すパチンコ機の正面拡大図である。
【図８】本発明に係る冷却構造の実施形態につき、図７中のＡ−Ａ線に沿って切断したときの右側断面図である。
【図９】本発明に係る冷却構造の実施形態につき、図７中のＢ−Ｂ線断面に沿って切断したときの右側断面図である。
【符号の説明】
【００３５】
１：中枠、２：外枠、３：背面板、３ａ：箱形空間の背面板、４：筐体、５：前面枠、１１（１１ａ，１１ｂ）：吸気口、３１：液晶画像表示器、３２：箱形空間、３３：密閉形スピーカ収納室、３３ａ：密閉形低音スピーカ収納室の天井板、３３ｂ：密閉形低音スピーカ収納室の前面板、３４：低音スピーカ、３５：主制御回路基板、３６：副制御回路基板、３７：払出制御回路基板、３８：電源回路ユニット、４１（４１ａ，４１ｂ）：排気口、４２（４２ａ，４２ｂ）：ファン、７１：第１強制冷却空気流、７２：第２強制冷却空気流。
【図１】
2007105102.tif 000003
【図２】
2007105102.tif 000004
【図３】
2007105102.tif 000005
【図４】
2007105102.tif 000006
【図５】
2007105102.tif 000007
【図６】
2007105102.tif 000008
【図７】
2007105102.tif 000009
【図８】
2007105102.tif 000010
【図９】
2007105102.tif 000011